(57)【要約】  本発明のプラズマディスプレイパネルは、前面板（１）と、前面板と対向して設けられる背面板（２）と、を備える。前面板は、第１電極（５）と、第１電極に平行な第２電極（６）と、を有する。第１電極と第２電極との間には放電ギャップが設けられる。第１電極は、第１透明電極（５ａ）と第１透明電極上に設けられた第１バス電極（５ｂ）と、を含む。第２電極は、第２透明電極（６ａ）と第２透明電極上に設けられた第２バス電極（６ｂ）と、を含む。第１透明電極は、第１のベース部（５７）と第１のベース部から放電ギャップに向かって突出した第１突出部（５６）を含む。第２透明電極は、第２のベース部（６７）と第２のベース部から放電ギャップに向かって突出した第２突出部（６６）を含む。第１のベース部における放電ギャップ側端部と第１バス電極における放電ギャップ側端部の間隔は、５μｍ以上２０μｍ以下である。第２のベース部における放電ギャップ側端部と第２バス電極における放電ギャップ側端部の間隔は、５μｍ以上２０μｍ以下である。  これにより、プラズマディスプレイパネルの品質向上が実現できる。
2012101973.tif 000002
【特許請求の範囲】
【請求項１】
前面板と、
前記前面板と対向して設けられる背面板と、を備え、
前記前面板は、第１電極と、前記第１電極に平行な第２電極と、を有し、前記第１電極と前記第２電極との間には放電ギャップが設けられ、
前記第１電極は、第１透明電極と前記第１透明電極上に設けられた第１バス電極と、を含み、
前記第２電極は、第２透明電極と前記第２透明電極上に設けられた第２バス電極と、を含み、
前記第１透明電極は、第１のベース部と前記第１のベース部から前記放電ギャップに向かって突出した第１突出部を含み、
前記第２透明電極は、第２のベース部と前記第２のベース部から前記放電ギャップに向かって突出した第２突出部を含み、
前記第１のベース部における放電ギャップ側の端部と前記第１バス電極における放電ギャップ側の端部の間隔は、５μｍ以上２０μｍ以下であり、
前記第２のベース部における放電ギャップ側の端部と前記第２バス電極における放電ギャップ側の端部の間隔は、５μｍ以上２０μｍ以下である、
プラズマディスプレイパネル。
【請求項２】
前記第１突出部および前記第２突出部の先端は、曲線を含む、
請求項１に記載のプラズマディスプレイパネル。
【請求項３】
前記第１突出部および前記第２突出部は、前記放電ギャップにのみ向かって突出している、
請求項１に記載のプラズマディスプレイパネル。
【発明の詳細な説明】
【技術分野】
【０００１】
ここに開示された技術は、表示装置などに用いられるプラズマディスプレイパネルに関する。
【背景技術】
【０００２】
プラズマディスプレイパネル（以下、ＰＤＰと称する）が有する表示電極は、幅広で帯状の透明電極と金属バス電極とが積層された構成を備える。放電電流を抑えるため、または、透明電極を省略することによって工程数を削減するために、表示電極が複数の部分に分割され開口部が設けられた表示電極が用いられている（例えば、特許文献１参照）。
【先行技術文献】
【特許文献】
【０００３】
【特許文献１】国際公開第０２／０１７３４５号
【発明の概要】
【０００４】
ＰＤＰは、前面板と、前面板と対向して設けられる背面板と、を備える。前面板は、第１電極と、第１電極に平行な第２電極と、を有する。第１電極と第２電極との間には放電ギャップが設けられる。第１電極は、第１透明電極と第１透明電極上に設けられた第１バス電極と、を含む。第２電極は、第２透明電極と第２透明電極上に設けられた第２バス電極と、を含む。第１透明電極は、第１のベース部と第１のベース部から放電ギャップに向かって突出した第１突出部を含む。第２透明電極は、第２のベース部と第２のベース部から放電ギャップに向かって突出した第２突出部を含む。第１のベース部における放電ギャップ側の端部と第１バス電極における放電ギャップ側の端部の間隔は、５μｍ以上２０μｍ以下である。第２のベース部における放電ギャップ側の端部と第２バス電極における放電ギャップ側の端部の間隔は、５μｍ以上２０μｍ以下である。
【図面の簡単な説明】
【０００５】
【図１】図１は、ＰＤＰを示す分解斜視図である。
【図２】図２は、ＰＤＰの放電セル部分の構成を示す断面図である。
【図３】図３は、ＰＤＰの電極配列図である。
【図４】図４は、走査電極および維持電極と隔壁との配置関係を示す平面図である。
【図５】図５は、実施の形態１における走査電極および維持電極とバス電極との配置関係を示す平面図である。
【図６】図６は、実施の形態２における走査電極および維持電極とバス電極との配置関係を示す平面図である。
【図７】図７は、走査電極および維持電極の透明電極膜厚と維持電圧差の関係を示す図である。
【図８】図８は、ＰＤＰの黄変レベルを表した図である。
【図９】図９は、実施の形態にかかるＰＤＰを用いたプラズマディスプレイ装置の全体構成を示すブロック図である。
【図１０】図１０は、ＰＤＰの各電極に印加する駆動電圧波形を示す波形図である。
【発明を実施するための形態】
【０００６】
（実施の形態１）
以下、実施の形態１にかかるＰＤＰが、図１〜図４、図９、図１０を用いて説明される。しかし、本発明の実施の態様は、実施の形態１に限定されるものではない。
【０００７】
１．ＰＤＰ２１の構成
図１に示されるように、ＰＤＰ２１は、前面板１と背面板２とで構成されている。前面板１と背面板２とは、間に放電空間３を形成するように対向して配置される。
【０００８】
前面板１は、前面基板４、表示電極７、誘電体層８および保護膜９を含む。ガラス製の前面基板４上に、導電性の表示電極７が複数配列されている。表示電極７は、走査電極５と維持電極６とを含む。走査電極５は、透明電極５ａと、バス電極５ｂを含む。維持電極６は、透明電極６ａと、バス電極６ｂを含む。走査電極５と維持電極６とは、間に放電ギャップを設けて互いに平行に配置されている。ガラス材料からなる誘電体層８は、走査電極５と維持電極６とを覆うように形成されている。誘電体層８上には、酸化マグネシウム（ＭｇＯ）からなる保護膜９が形成されている。
【０００９】
図１に示されるように、背面板２は、背面基板１０と、絶縁体層１１と、データ電極１２と、隔壁１３と、蛍光体層１４Ｒ、１４Ｇ、１４Ｂとを含む。ガラス製の背面基板１０上に、Ａｇからなる複数のデータ電極１２が設けられている。データ電極１２は、ガラス材料からなる絶縁体層１１で覆われている。絶縁体層１１上には、ガラス材料などからなる井桁状の隔壁１３が設けられている。隔壁１３は、縦隔壁１３ａと横隔壁１３ｂとを含む。縦隔壁１３ａは、データ電極１２に平行に形成されている。横隔壁１３ｂは、縦隔壁１３ａに直交するように形成されている。隔壁１３は、前面板１と背面板２との間に形成される放電空間３を、放電セル１５（図３参照）毎に区画する。絶縁体層１１の表面および隔壁１３の側面には、赤色（Ｒ）、緑色（Ｇ）、青色（Ｂ）の蛍光体層１４Ｒ、１４Ｇ、１４Ｂが設けられている。
【００１０】
蛍光体層１４Ｒ、１４Ｇ、１４Ｂは、縦隔壁１３ａに沿ってストライプ状に、隔壁１３内に塗布されている。蛍光体層１４Ｒ、１４Ｇ、１４Ｂは、青色に発光する蛍光体層１４Ｂ、赤色に発光する蛍光体層１４Ｒ、緑色に発光する蛍光体層１４Ｇの順に配列されている。
【００１１】
そして、走査電極５および維持電極６とデータ電極１２とが交差するように、前面板１と背面板２とは対向配置される。図３に示されるように、走査電極５および維持電極６とデータ電極１２とが交差する領域には、放電セル１５が設けられている。放電空間３には、放電ガスとして、例えばネオンとキセノンの混合ガスが封入されている。なお、ＰＤＰ２１の構造は上述したものに限られるわけではない。ＰＤＰ２１の構造は、例えばストライプ状の隔壁１３を備えてもよい。
【００１２】
図３に示されるように、走査電極５は、行方向に延伸したｎ本の走査電極Ｙ１、Ｙ２、Ｙ３・・・Ｙｎを含む。維持電極６は、行方向に延伸したｎ本の維持電極Ｘ１、Ｘ２、Ｘ３・・・Ｘｎを含む。データ電極１２は、列方向に延伸したｍ本のデータ電極Ａ１・・・Ａｍを含む。１対の走査電極Ｙｐおよび維持電極Ｘｐ（１≦ｐ≦ｎ）と、１本のデータ電極Ａｑ（１≦ｑ≦ｍ）と、が交差した領域には、放電セル１５が形成されている。放電セル１５は、放電空間３内にｍ×ｎ個形成されている。走査電極５および維持電極６は、走査電極Ｙ１−維持電極Ｘ１−維持電極Ｘ２−走査電極Ｙ２・・・のパターンで、前面板１に形成されている。走査電極５および維持電極６は、放電セル１５が形成された画像表示領域の外に設けられた駆動回路の端子に接続されている。
【００１３】
２．ＰＤＰ装置の構成と駆動について
次に、上述したＰＤＰ２１を用いたプラズマディスプレイ装置２００の全体構成および駆動方法が説明される。
【００１４】
図９に示されるように、プラズマディスプレイ装置２００は、図１〜図３に示される構成のＰＤＰ２１、画像信号処理回路２２、データ電極駆動回路２３、走査電極駆動回路２４、維持電極駆動回路２５、タイミング発生回路２６および電源回路（図示せず）を備えている。データ電極駆動回路２３は、ＰＤＰ２１のデータ電極１２の一端に接続されている。データ電極駆動回路２３は、データ電極１２に電圧を供給するための半導体素子からなる複数のデータドライバを有している。データ電極１２は、数本ずつのデータ電極１２を１ブロックとして複数のブロックに分割されている。データ電極１２は、そのブロック単位で複数のデータドライバをＰＤＰ２１の下端部に設けられた電極引出部に接続されている。
【００１５】
図９において、画像信号処理回路２２は、画像信号ｓｉｇをサブフィールド毎の画像データに変換する。データ電極駆動回路２３は、サブフィールド毎の画像データを各データ電極Ａ１〜Ａｍに対応する信号に変換し、各データ電極Ａ１〜Ａｍを駆動する。タイミング発生回路２６は、水平同期信号Ｈおよび垂直同期信号Ｖをもとにして各種のタイミング信号を発生させ、各駆動回路ブロックに各種のタイミング信号を供給する。走査電極駆動回路２４は、タイミング信号にもとづいて走査電極Ｙ１〜Ｙｎに駆動電圧波形を供給する。維持電極駆動回路２５は、タイミング信号にもとづいて維持電極Ｘ１〜Ｘｎに駆動電圧波形を供給する。なお、維持電極の一端は、ＰＤＰ２１内、またはＰＤＰ２１外において共通に接続され、その共通に接続された配線は、維持電極駆動回路２５に接続されている。
【００１６】
３．プラズマディスプレイ装置２００の駆動について
次に、ＰＤＰ２１を駆動するための駆動電圧波形とその動作が図１０を用いて説明される。
【００１７】
実施の形態１に係るＰＤＰ２１において、１フィールドは複数のサブフィールドに分割され、それぞれのサブフィールドは、初期化期間、書込み期間、維持期間を有している。
【００１８】
３−１．初期化期間
第１サブフィールドの初期化期間では、データ電極Ａ１〜Ａｍおよび維持電極Ｘ１〜Ｘｎは０（Ｖ）に保持される。走査電極Ｙ１〜Ｙｎは、放電開始電圧以下となる電圧Ｖｉ１（Ｖ）から放電開始電圧を超える電圧Ｖｉ２（Ｖ）に向かって緩やかに上昇するランプ電圧を印加される。すると、すべての放電セル１５において１回目の微弱な初期化放電が発生し、走査電極Ｙ１〜Ｙｎ上に負の壁電圧が蓄えられる。また、維持電極Ｘ１〜Ｘｎ上およびデータ電極Ａ１〜Ａｍ上に正の壁電圧が蓄えられる。これにより、ここで、電極上の壁電圧とは、電極を覆う誘電体層および蛍光体層上等に蓄積した壁電荷により生じる電圧を指す。
【００１９】
その後、維持電極Ｘ１〜Ｘｎは正の電圧Ｖｈ（Ｖ）に保たれ、走査電極Ｙ１〜Ｙｎは、電圧Ｖｉ３（Ｖ）から電圧Ｖｉ４（Ｖ）に向かって緩やかに下降するランプ電圧を印加される。すると、すべての放電セル１５において２回目の微弱な初期化放電が起こる。これにより、走査電極Ｙ１〜Ｙｎ上と維持電極Ｘ１〜Ｘｎ上との間の壁電圧は、弱められ、書込み動作に適した値に調整される。データ電極Ａ１〜Ａｍ上の壁電圧も書込み動作に適した値に調整される。
【００２０】
３−２．書込み期間
続く書込み期間では、走査電極Ｙ１〜Ｙｎは一旦Ｖｒ（Ｖ）に保持される。次に、１行目の走査電極Ｙ１は、負の走査パルス電圧Ｖａ（Ｖ）を印加される。また、データ電極Ａ１〜Ａｍのうち１行目に表示すべき放電セル１５のデータ電極Ａｋ（ｋ＝１〜ｍ）は、正の書込みパルス電圧Ｖｄ（Ｖ）を印加される。このときデータ電極Ａｋと走査電極Ｙ１との交差部の電圧は、外部印加電圧（Ｖｄ−Ｖａ）（Ｖ）にデータ電極Ａｋ上の壁電圧と走査電極Ｙ１上の壁電圧とが加算されたものとなり、放電開始電圧を超える。そして、データ電極Ａｋと走査電極Ｙ１との間および維持電極Ｘ１と走査電極Ｙ１との間に書込み放電が起こる。これにより、この放電セル１５の走査電極Ｙ１上に正の壁電圧が蓄積され、維持電極Ｘ１上に負の壁電圧が蓄積される。このとき、データ電極Ａｋ上にも負の壁電圧が蓄積される。
【００２１】
このようにして、１行目に表示すべき放電セル１５で書込み放電が起こり、各電極上に壁電圧を蓄積する書込み動作が行われる。一方、書込みパルス電圧Ｖｄ（Ｖ）が印加されなかったデータ電極Ａ１〜Ａｍと走査電極Ｙ１との交差部の電圧は放電開始電圧を超えないので、書込み放電は発生しない。以上の書込み動作がｎ行目の放電セル１５に至るまで順次行われ、書込み期間が終了する。
【００２２】
３−３．維持期間
続く維持期間では、走査電極Ｙ１〜Ｙｎには第１の電圧として正の維持パルス電圧Ｖｓ（Ｖ）が印加される。維持電極Ｘ１〜Ｘｎには第２の電圧として接地電位、すなわち０（Ｖ）が印加される。このとき書込み放電を起こした放電セル１５においては、走査電極Ｙｉ（ｉ＝１〜ｎ）上と維持電極Ｘｉ上との間の電圧は、維持パルス電圧Ｖｓ（Ｖ）に走査電極Ｙｉ上の壁電圧と維持電極Ｘｉ上の壁電圧とが加算されたものとなり、放電開始電圧を超える。そして、走査電極Ｙｉと維持電極Ｘｉとの間に維持放電が起こり、このとき発生した紫外線により蛍光体層が発光する。そして走査電極Ｙｉ上に負の壁電圧が蓄積され、維持電極Ｘｉ上に正の壁電圧が蓄積される。このときデータ電極Ａｋ上にも正の壁電圧が蓄積される。
【００２３】
書込み期間において書込み放電が起きなかった放電セル１５では、維持放電は発生せず、初期化期間の終了時における壁電圧が保持される。続いて、走査電極Ｙ１〜Ｙｎには第２の電圧である０（Ｖ）が印加される。維持電極Ｘ１〜Ｘｎには第１の電圧である維持パルス電圧Ｖｓ（Ｖ）が印加される。すると、維持放電を起こした放電セル１５では、維持電極Ｘｉ上と走査電極Ｙｉ上との間の電圧が放電開始電圧を超えるので、再び維持電極Ｘｉと走査電極Ｙｉとの間に維持放電が起こる。そして維持電極Ｘｉ上に負の壁電圧が蓄積され、走査電極Ｙｉ上に正の壁電圧が蓄積される。
【００２４】
３−４．第２のサブフィールド以降
以降同様に、走査電極Ｙ１〜Ｙｎと維持電極Ｘ１〜Ｘｎとに交互に輝度重みに応じた数の維持パルスが印加されることにより、書込み期間において書込み放電を起こした放電セル１５で維持放電が継続して行われる。こうして維持期間における維持動作が終了する。続くサブフィールドにおける初期化期間、書込み期間、維持期間の動作も第１サブフィールドにおける動作とほぼ同様のため、説明は省略される。
【００２５】
４．ＰＤＰ２１の製造方法
４−１．前面板１の製造方法
フォトリソグラフィ法によって、前面基板４上に、走査電極５および維持電極６が形成される。走査電極５は、インジウム錫酸化物（ＩＴＯ）などの透明電極５ａと、透明電極５ａに積層された銀（Ａｇ）などからなるバス電極５ｂとから構成されている。維持電極６は、ＩＴＯなどの透明電極６ａと、透明電極６ａに積層されたＡｇなどからなるバス電極６ｂとから構成されている。バス電極５ｂ、６ｂの材料には、銀（Ａｇ）と銀を結着させるためのガラスフリットと感光性樹脂と溶剤などを含む電極ペーストが用いられる。まず、スクリーン印刷法などによって、電極ペーストが、透明電極５ａ、６ａが形成された前面基板４に塗布される。次に、乾燥炉によって、電極ペースト中の溶剤が除去される。次に、所定のパターンのフォトマスクを介して、電極ペーストが露光される。
【００２６】
次に、電極ペーストが現像され、バス電極パターンが形成される。最後に、焼成炉によって、バス電極パターンが所定の温度で焼成される。つまり、電極パターン中の感光性樹脂が除去される。また、電極パターン中のガラスフリットが溶融する。その後、室温まで冷却することにより、溶融していたガラスフリットが、ガラス化する。以上の工程によって、バス電極５ｂ、６ｂが形成される。ここで、電極ペーストをスクリーン印刷する方法以外にも、スパッタ法、蒸着法などを用いることができる。
【００２７】
次に、誘電体層８が形成される。誘電体層８の材料には、誘電体ガラスフリットと樹脂と溶剤などを含む誘電体ペーストが用いられる。まずダイコート法などによって、誘電体ペーストが所定の厚みで走査電極５、維持電極６を覆うように前面基板４上に塗布される。次に、乾燥炉によって、誘電体ペースト中の溶剤が除去される。最後に、焼成炉によって、誘電体ペーストが所定の温度で焼成される。つまり、誘電体ペースト中の樹脂が除去される。また、誘電体ガラスフリットが溶融する。その後、室温まで冷却することにより、溶融していた誘電体ガラスフリットが、ガラス化する。以上の工程によって、誘電体層８が形成される。ここで、誘電体ペーストをダイコートする方法以外にも、スクリーン印刷法、スピンコート法などを用いることができる。また、誘電体ペーストを用いずに、ＣＶＤ（Ｃｈｅｍｉｃａｌ  Ｖａｐｏｒ  Ｄｅｐｏｓｉｔｉｏｎ）法などによって、誘電体層８となる膜を形成することもできる。次に、誘電体層８上に保護膜９が形成される。
【００２８】
以上の工程により前面基板４上に走査電極５、維持電極６、誘電体層８および保護膜９を有する前面板１が完成する。
【００２９】
４−２．背面板２の製造方法
フォトリソグラフィ法によって、背面基板１０上に、データ電極１２が形成される。データ電極１２の材料には、導電性を確保するための銀（Ａｇ）と、銀を結着させるためのガラスフリットと、感光性樹脂と溶剤などを含むデータ電極ペーストが用いられる。まず、スクリーン印刷法などによって、データ電極ペーストが所定の厚みで背面基板１０上に塗布される。次に、乾燥炉によって、データ電極ペースト中の溶剤が除去される。次に、所定のパターンのフォトマスクを介して、データ電極ペーストが露光される。次に、データ電極ペーストが現像され、データ電極パターンが形成される。最後に、焼成炉によって、データ電極パターンが所定の温度で焼成される。つまり、データ電極パターン中の感光性樹脂が除去される。また、データ電極パターン中のガラスフリットが溶融する。その後、室温まで冷却することにより、溶融していたガラスフリットが、ガラス化する。以上の工程によって、データ電極１２が形成される。ここで、データ電極ペーストをスクリーン印刷する方法以外にも、スパッタ法、蒸着法などを用いることができる。
【００３０】
次に、絶縁体層１１が形成される。絶縁体層１１の材料には、絶縁体ガラスフリットと樹脂と溶剤などを含む絶縁体ペーストが用いられる。まず、スクリーン印刷法などによって、絶縁体ペーストが所定の厚みでデータ電極１２が形成された背面基板１０上にデータ電極１２を覆うように塗布される。次に、乾燥炉によって、絶縁体ペースト中の溶剤が除去される。最後に、焼成炉によって、絶縁体ペーストが所定の温度で焼成される。つまり、絶縁体ペースト中の樹脂が除去される。また、絶縁体ガラスフリットが溶融する。その後、室温まで冷却することにより、溶融していた絶縁体ガラスフリットが、ガラス化する。以上の工程によって、絶縁体層１１が形成される。ここで、絶縁体ペーストをスクリーン印刷する方法以外にも、ダイコート法、スピンコート法などを用いることができる。また、絶縁体ペーストを用いずに、ＣＶＤ（Ｃｈｅｍｉｃａｌ  Ｖａｐｏｒ  Ｄｅｐｏｓｉｔｉｏｎ）法などによって、絶縁体層１１となる膜を形成することもできる。
【００３１】
次に、フォトリソグラフィ法によって、隔壁１３が形成される。隔壁１３の材料には、フィラーと、フィラーを結着させるためのガラスフリットと、感光性樹脂と、溶剤などを含む隔壁ペーストが用いられる。まず、ダイコート法などによって、隔壁ペーストが所定の厚みで絶縁体層１１上に塗布される。次に、乾燥炉によって、隔壁ペースト中の溶剤が除去される。次に、所定のパターンのフォトマスクを介して、隔壁ペーストが露光される。次に、隔壁ペーストが現像され、隔壁パターンが形成される。最後に、焼成炉によって、隔壁パターンが所定の温度で焼成される。つまり、隔壁パターン中の感光性樹脂が除去される。また、隔壁パターン中のガラスフリットが溶融する。その後、室温まで冷却することにより、溶融していたガラスフリットが、ガラス化する。以上の工程によって、隔壁１３が形成される。ここで、フォトリソグラフィ法以外にも、サンドブラスト法などを用いることができる。
【００３２】
次に、蛍光体層１４Ｒ、１４Ｂ、１４Ｇが形成される。蛍光体層１４Ｒ、１４Ｂ、１４Ｇの材料には、蛍光体粒子とバインダと溶剤などとを含む蛍光体ペーストが用いられる。まず、ディスペンス法などによって、蛍光体ペーストが所定の厚みで隣接する複数の隔壁１３間の絶縁体層１１上および隔壁１３の側面に塗布される。次に、乾燥炉によって、蛍光体ペースト中の溶剤が除去される。最後に、焼成炉によって、蛍光体ペーストが所定の温度で焼成される。つまり、蛍光体ペースト中の樹脂が除去される。以上の工程によって、蛍光体層１４Ｒ、１４Ｂ、１４Ｇが形成される。ここで、ディスペンス法以外にも、スクリーン印刷法などを用いることができる。
【００３３】
以上の工程により、背面基板１０上に、データ電極１２、絶縁体層１１、隔壁１３および蛍光体層１４Ｒ、１４Ｂ、１４Ｇを有する背面板２が完成する。
【００３４】
４−３．前面板１と背面板２との組立方法
ディスペンス法などによって、背面板２の周囲に封着ペーストが塗布される。封着ペーストは、ビーズと低融点ガラス材料とバインダと溶剤などを含んでいてもよい。塗布された封着ペーストは、封着ペースト層（図示せず）を形成する。次に乾燥炉によって、封着ペースト層中の溶剤が除去される。その後、封着ペースト層は、約３５０℃の温度で仮焼成される。仮焼成によって、封着ペースト層中の樹脂成分などが除去される。次に、表示電極７とデータ電極１２とが直交するように、前面板１と背面板２とが対向配置される。
【００３５】
さらに、前面板１と背面板２の周縁部が、クリップなどにより押圧された状態で保持される。この状態で、所定の温度で焼成することにより、低融点ガラス材料が溶融する。その後、室温まで冷却することにより、溶融していた低融点ガラス材料がガラス化する。これにより、前面板１と背面板２とが気密封着される。最後に、放電空間にＮｅ、Ｘｅなどを含む放電ガスが封入されることによりＰＤＰ２１が完成する。
【００３６】
５．表示電極について
５−１．透明電極５ａ、６ａの微細構造について
図４に示されるように、透明電極５ａはバス電極５ｂの延伸方向と同じ方向に延伸して設けられた第２の透明電極領域５７と、第２の透明電極領域５７から放電ギャップに向かって突出した第１の透明電極領域５６を含む。第１の透明電極領域５６は、一例として、縦隔壁１３ａと平行である。
【００３７】
第２の透明電極領域５７は、一例として、矩形である。第１の透明電極領域５６は、一例として、矩形である。
【００３８】
図４に示されるように、透明電極６ａはバス電極６ｂの延伸方向と同じ方向に延伸して設けられた第２の透明電極領域６７と、第２の透明電極領域６７から放電ギャップに向かって突出した第１の透明電極領域６６を含む。第１の透明電極領域６６は、一例として、縦隔壁１３ａと平行である。
【００３９】
第２の透明電極領域６７は、一例として、矩形である。第１の透明電極領域６６は、一例として、矩形である。
【００４０】
放電セル１５において、走査電極５が有する第１の透明電極領域５６の先端部と、維持電極６が有する第１の透明電極領域６６の先端部との間に放電ギャップが設けられる。
【００４１】
なお、第１の透明電極領域５６、６６は、一つの放電セル１５内において、複数設けられていることが好ましい。放電が、より安定するからである。
【００４２】
ここで、本発明者らが行った実験の結果が説明される。なお、本実験では、２つのパラメータが取り上げられた。第１のパラメータは、放電ギャップを介して向かいあう第１の透明電極領域５６、６６の幅（図中および以下「Ｌ幅」と示される。）である。第２のパラメータは、走査電極５、維持電極６、のそれぞれにおいて隣り合う第１の透明電極領域５６間の幅、または第１の透明電極領域６６間、の幅（図中および以下「Ｓ幅」と示される。）である。
【００４３】
Ｌ幅とＳ幅との変更に応じて、Ｌ幅とＳ幅とを合計した１ペアの幅（図中および以下「Ｐ幅」と示される。）が変更される。また、Ｐ幅が変更されることで、１つの放電セル１５に設けられるペアの数は変更される。
【００４４】
図４に示される電極構造において、Ｌ幅１４μｍの第１の透明電極領域５６、６６が、Ｓ幅１５μｍの間隔で複数に分割して設けられた。この場合、分割せずに第１の透明電極領域５６、６６を形成した場合に比べ、発光効率を約１０％向上させることができた。また、Ｌ幅２０μｍの第１の透明電極領域５６、６６をＳ幅２０μｍの間隔で複数に分割して設けられた。この場合も、分割せずに透明電極を形成した場合に比べ、発光効率を約１０％向上させることができた。
【００４５】
さらに、Ｌ幅１４μｍの第１の透明電極領域５６、６６を、Ｓ幅１５μｍ以上の間隔のサンプルが評価された。分割せずに透明電極を形成したサンプルと発光効率を比べた場合、誘電体層８の膜厚よりも広い間隔とすることにより、より発光効率を向上させる効果が得られることがわかった。
【００４６】
なお、図示していないが、表示電極７を構成する走査電極５および維持電極６と隔壁１３との配置関係の他の例として、走査電極５における第１の透明電極領域５６と維持電極６における第１の透明電極領域６６の位置を互い違いに対向させて配置したものであってもよい。
【００４７】
５−２．透明電極の膜厚と維持電圧との関係
図４に示されるような、複数に分割された第１の透明電極領域５６、６６を有するＰＤＰ２１は、分割せずに設けられた透明電極５ａ、６ａを有するＰＤＰ２１と比較して、維持パルス電圧Ｖｓが高い。面間容量が低くなり、電荷をためにくくなるためである。
【００４８】
また、ＰＤＰ２１のコストダウンのためには、透明電極５ａ、６ａの薄膜化は一つの手段である。しかし、透明電極５ａ、６ａを薄膜化すると、バス電極５ｂ、６ｂと透明電極５ａ、６ａのコンタクト抵抗が急激に上昇する。その結果、維持パルス電圧Ｖｓが、さらに大きくなる。
【００４９】
さらに、複数に分割された第１の透明電極領域５６、６６を有するＰＤＰ２１は、バス電極５ｂ、６ｂが前面基板４に直接接触する面積が大きくなる。その結果、前面基板４に含まれるＳｎなどと、バス電極５ｂ、６ｂに含まれるＡｇなどが接触する。その結果、ＰＤＰ２１が黄変してしまう。
【００５０】
そこで、本実施の形態においては、図５に示されるように、透明電極５ａはバス電極５ｂの延伸方向と同じ方向に延伸して設けられた第２の透明電極領域５７と、第２の透明電極領域５７から放電ギャップに向かって突出した第１の透明電極領域５６を含む。第１の透明電極領域５６は、一例として、縦隔壁１３ａと平行である。第２の透明電極領域５７は、一例として、矩形である。第１の透明電極領域５６は、一例として、矩形である。透明電極６ａはバス電極６ｂの延伸方向と同じ方向に延伸して設けられた第２の透明電極領域６７と、第２の透明電極領域６７から放電ギャップに向かって突出した第１の透明電極領域６６を含む。第１の透明電極領域６６は、一例として、縦隔壁１３ａと平行である。
【００５１】
第２の透明電極領域６７は、一例として、矩形である。第１の透明電極領域６６は、一例として、矩形である。放電セル１５において、第１の透明電極領域５６の先端部と、第１の透明電極領域６６の先端部との間に放電ギャップが設けられる。第２の透明電極領域５７の放電ギャップ側の端部とバス電極５ｂの放電ギャップ側の端部の間隔Ｄ１は、５μｍ以上２０μｍ以下である。さらに、第２の透明電極領域６７の放電ギャップ側の端部とバス電極６ｂの放電ギャップ側の端部の間隔Ｄ２は、５μｍ以上２０μｍ以下である。
【００５２】
なお、第１の透明電極領域５６、６６は、一つの放電セル内において、複数設けられていることが好ましい。放電が、より安定するからである。
【００５３】
図５に示されるように、第２の透明電極領域５７、６７のそれぞれが、バス電極５ｂ、６ｂのそれぞれから延出し、放電ギャップを介して向かい合っている。これにより、バス電極５ｂと透明電極５ａとのコンタクト抵抗およびバス電極６ｂと透明電極６ａとのコンタクト抵抗が抑制される。つまり、図５に示す構成は第２の透明電極領域５７、６７のそれぞれが放電ギャップ側にバス電極５ｂ、６ｂから延出していない構成と比較して維持パルス電圧Ｖｓがより低くなる。
【００５４】
また、本実施の形態において、バス電極５ｂ、６ｂと前面基板４が直接接触する面積は、第２の透明電極領域５７、６７が放電ギャップ側にバス電極５ｂ、６ｂから延出していない構成と比較して小さい。つまり、前面基板４に含まれるＳｎなどと、バス電極５ｂ、６ｂに含まれるＡｇなどが接触する面積は、より小さくなる。よって、ＰＤＰ２１の黄変を抑制することができる。
【００５５】
（実施の形態２）
図６に示されるように、透明電極５ａにおける第２の透明電極領域５７の放電ギャップ側の端部とバス電極５ｂの放電ギャップ側の端部の間隔Ｄ１は、５μｍ以上２０μｍ以下である。さらに、透明電極６ａにおける第２の透明電極領域６７の放電ギャップ側の端部とバス電極６ｂの放電ギャップ側の端部の間隔Ｄ２は、５μｍ以上２０μｍ以下である。さらに、放電ギャップ側とは反対側のＩＰＧ（Ｉｎｔｅｒ  Ｐｉｘｅｌ  Ｇａｐ）側に複数に分割された第１の透明電極領域５６、６６が設けられていない。
【００５６】
つまり、図６に示されるように、バス電極５ｂは、走査電極５における第２の透明電極領域５７の上に設けられ、前面基板４と接触しない。バス電極６ｂは、維持電極６における第２の透明電極領域６７の上に設けられ、前面基板４と接触しない。よって、ＰＤＰ２１の黄変をより抑制することができる。
【００５７】
（評価）
実施の形態１と実施の形態２におけるＰＤＰの維持電圧と黄変の影響が、図７と図８を用いてより詳細に説明される。
【００５８】
構成１は、第１の透明電極領域５６、６６を含まない透明電極５ａ、６ａを有するＰＤＰである。
【００５９】
構成２は、第１の透明電極領域５６、６６および第２の透明電極領域５７、６７を含む透明電極５ａ、６ａを有するＰＤＰである（例えば図４に示される）。バス電極５ｂ、６ｂのそれぞれは、第２の透明電極領域５７、６７のそれぞれを被覆している。さらにバス電極５ｂ、６ｂのそれぞれは、第１の透明電極領域５６、６６のそれぞれの一部を被覆している。
【００６０】
構成３は、実施の形態１の構成を有するＰＤＰである（例えば図５に示される）。
【００６１】
構成４は、実施の形態２の構成を有するＰＤＰである（例えば図６に示される）。
【００６２】
６−１．維持パルス電圧Ｖｓ
図７に示されるように、横軸は、透明電極５ａ、６ａの膜厚である。縦軸は、構成１の維持パルス電圧を基準とした維持電圧差（Ｖ）である。構成２の維持電圧差（Ｖ）とは、構成２を正常に点灯させるために必要な維持パルス電圧から構成１を正常に点灯させるために必要な維持パルス電圧を差し引いた値である。
【００６３】
構成４の維持電圧差（Ｖ）とは、構成４を正常に点灯させるために必要な維持パルス電圧から構成１を正常に点灯させるために必要な維持パルス電圧を差し引いた値である。
【００６４】
構成２は、透明電極５ａ、６ａの膜厚が薄くなるほど、構成１との維持電圧差が大きくなる。つまり、構成２の場合、維持パルス電圧Ｖｓは透明電極５ａ、６ａの膜厚が薄くなるほど大きくなる。
【００６５】
一方、構成４は、透明電極５ａ、６ａの膜厚が薄くなっても、構成１との維持電圧差は、構成２に比べて極めて小さい。つまり、構成４は、構成２より維持パルス電圧Ｖｓをより小さくすることができる。
【００６６】
６−２．黄変
黄変は、ＰＤＰ２１を目視観察することにより評価された。図８に示されるように、構成２は、構成３および構成４よりも黄変レベルが大きい。なお、図８においては、構成４の黄変レベルを基準値として、構成２および構成３の黄変レベルが相対値として示されている。
【００６７】
構成３および構成４は、前面基板４に含まれるＳｎなどと、バス電極５ｂ、６ｂに含まれるＡｇなどが接触する面積が構成２と比較して小さくなる。よって、構成３および構成４は、構成２と比較して、ＰＤＰ２１の黄変が抑制されている。
【００６８】
さらに、構成４は、構成３より黄変レベルが小さい。構成４は、構成３より、前面基板４に含まれるＳｎなどと、バス電極５ｂ、６ｂに含まれるＡｇなどが接触する面積が小さくなる。よって、構成４は、構成３と比較して、ＰＤＰ２１の黄変が抑制されている。
【００６９】
７．まとめ
ここに開示されたＰＤＰ２１は、前面板１と、前面板１と対向して設けられた背面板２と、を備える。前面板１は、第１電極である走査電極５と、走査電極５に平行な第２電極である維持電極６と、を有する。走査電極５と維持電極６との間には放電ギャップが設けられる。走査電極５は、第１透明電極である透明電極５ａと透明電極５ａ上に設けられた第１バス電極であるバス電極５ｂと、を含む。維持電極６は、第２透明電極である透明電極６ａと透明電極６ａ上に設けられた第２バス電極であるバス電極６ｂと、を含む。透明電極５ａは、第１のベース部である第２の透明電極領域５７と第２の透明電極領域５７から放電ギャップに向かって突出した第１突出部である第１の透明電極領域５６を含む。透明電極６ａは、第２のベース部である第２の透明電極領域６７と第２の透明電極領域６７から放電ギャップに向かって突出した第２突出部である第１の透明電極領域６６を含む。第２の透明電極領域５７における放電ギャップ側端部とバス電極５ｂにおける放電ギャップ側端部の間隔Ｄ１は、５μｍ以上２０μｍ以下である。第２の透明電極領域６７における放電ギャップ側端部とバス電極６ｂにおける放電ギャップ側端部の間隔Ｄ２は、５μｍ以上２０μｍ以下である。
【００７０】
さらに、第１突出部である第１の透明電極領域５６および第２突出部である第１の透明電極領域６６の先端は、曲線を含むことが好ましい。具体的には、第１の透明電極領域５６、６６の先端部が丸みを帯びた形状となっていてもよい。丸みを有する部分を円の一部と仮定したときの半径φは、０≦φ≦ｄ／２を満たすことが好ましい。ただし、ｄは、第１の透明電極領域５６、６６の幅である。この構成によれば、放電ギャップ付近の第１の透明電極領域５６、６６の面積がより減少する。その結果、走査電極５と走査電極５の間の静電容量を低減させることができる。さらに、第１の透明電極領域５６、６６の先端部が曲線を含まない構成と比較して、無効電力を３％も低減することができる。
【００７１】
なお、第１の透明電極領域５６、６６の先端部が先端部以外の部分より細くなっていれば、同等以上の効果が得られる。
【００７２】
また、本発明は、実施の形態１および実施の形態２に限られない。つまり、第２の透明電極領域５７における放電ギャップ側端部とバス電極５ｂにおける放電ギャップ側端部の間隔Ｄ１は、５μｍ以上２０μｍ以下であること、および、第２の透明電極領域６７における放電ギャップ側端部とバス電極６ｂにおける放電ギャップ側端部の間隔Ｄ２は、５μｍ以上２０μｍ以下であれば、本発明の目的を達成できる。
【産業上の利用可能性】
【００７３】
ここに開示された技術は、ＰＤＰの品質向上を実現できるので、大画面の表示デバイスなどに有用である。
【符号の説明】
【００７４】
１    前面板
２    背面板
３    放電空間
４    前面基板
５    走査電極
６    維持電極
５ａ，６ａ    透明電極
５ｂ，６ｂ    バス電極
７    表示電極
８    誘電体層
９    保護膜
１０    背面基板
１１    絶縁体層
１２    データ電極
１３    隔壁
１３ａ    縦隔壁
１３ｂ    横隔壁
１４Ｒ，１４Ｇ，１４Ｂ    蛍光体層
１５    放電セル
２１    ＰＤＰ
２２    画像信号処理回路
２３    データ電極駆動回路
２４    走査電極駆動回路
２５    維持電極駆動回路
２６    タイミング発生回路
５６，６６    第１の透明電極領域
５７，６７    第２の透明電極領域
２００    プラズマディスプレイ装置
【図１】
2012101973.tif 000003
【図２】
2012101973.tif 000004
【図３】
2012101973.tif 000005
【図４】
2012101973.tif 000006
【図５】
2012101973.tif 000007
【図６】
2012101973.tif 000008
【図７】
2012101973.tif 000009
【図８】
2012101973.tif 000010
【図９】
2012101973.tif 000011
【図１０】
2012101973.tif 000012
【国際調査報告】
2012101973.tif 000013
2012101973.tif 000014